(57)【要約】【課題】火山ガス検知器の構造が複雑になるのを抑制しつつ、硫化水素検出センサによる検出精度を向上させることが可能な火山ガス検知器を提供する。【解決手段】この火山ガス検知器１は、二酸化硫黄ガスを検出するためのＳＯ2センサ５２と、二酸化硫黄を吸着するとともに、硫化水素を透過可能であり、かつ、水分を保持可能なＳＯ2吸着フィルタ６と、ＳＯ2吸着フィルタ６を通過した硫化水素ガスを検出するためのＨ2Ｓセンサ５１とを備える。【選択図】図１
0003199404.tif 000002
【実用新案登録請求の範囲】
【請求項１】
二酸化硫黄ガスを検出するための二酸化硫黄検出センサと、
二酸化硫黄を吸着するとともに、硫化水素を透過可能であり、ガラス繊維からなる二酸化硫黄吸着フィルタと、
前記二酸化硫黄吸着フィルタを通過した硫化水素ガスを検出するための硫化水素検出センサとを備えた、火山ガス検知器。
【請求項２】
前記ガラス繊維は、ホウケイ酸塩ガラス繊維である、請求項１に記載の火山ガス検知器。
【請求項３】
前記二酸化硫黄吸着フィルタとは異なり、硫化水素を吸着し、二酸化硫黄を透過可能な硫化水素吸着フィルタをさらに備え、
前記二酸化硫黄検出センサは、前記硫化水素吸着フィルタを通過した二酸化硫黄ガスを検出するように構成されている、請求項１または２のいずれか１項に記載の火山ガス検知器。
【請求項４】
前記硫化水素吸着フィルタは、硫化水素を吸着するための硫酸銀粉末を含む硫酸銀含有層と、二酸化硫黄を透過可能であり、前記硫酸銀含有層を支持するための支持部材とを備えている、請求項３に記載の火山ガス検知器。
【請求項５】
前記二酸化硫黄吸着フィルタは、ガスの流入方向における上流側の略全面からガスが流入するように配置されている、請求項１〜４のいずれか１項に記載の火山ガス検知器。
【考案の詳細な説明】
【技術分野】
【０００１】
この考案は、火山ガス検知器に関し、特に、硫化水素検出センサを備えた火山ガス検知器に関する。
【背景技術】
【０００２】
従来、硫化水素検出センサを備えたガス検知器が知られている（たとえば、特許文献１参照）。
【０００３】
上記特許文献１には、硫化水素検出センサを備えたガス検知器が開示されている。
【０００４】
また、硫化水素検出センサによる検出精度を向上させるために、二酸化硫黄を吸着するとともに、硫化水素を透過可能な二酸化硫黄吸着フィルタを設けることが考えられる。
【先行技術文献】
【特許文献】
【０００５】
【特許文献１】特許４６９１５７９号公報
【考案の概要】
【考案が解決しようとする課題】
【０００６】
しかしながら、上記特許文献１のガス検知器に硫化水素を透過可能な二酸化硫黄吸着フィルタを設けた場合には、硫化水素検出センサによる検出精度を向上させることが可能であるものの、二酸化硫黄吸着フィルタの構造によっては、ガス検知器の構造が複雑になる場合がある。
【０００７】
この考案は、上記のような課題を解決するためになされたものであり、この考案の１つの目的は、火山ガス検知器の構造が複雑になるのを抑制しつつ、硫化水素検出センサによる検出精度を向上させることが可能な火山ガス検知器を提供することである。
【課題を解決するための手段】
【０００８】
この考案の一の局面による火山ガス検知器は、二酸化硫黄ガスを検出するための二酸化硫黄検出センサと、二酸化硫黄を吸着するとともに、硫化水素を透過可能であり、ガラス繊維からなる二酸化硫黄吸着フィルタと、二酸化硫黄吸着フィルタを通過した硫化水素ガスを検出するための硫化水素検出センサとを備える。
【０００９】
この考案の一の局面による火山ガス検知器では、上記のように、二酸化硫黄を吸着するとともに、硫化水素を透過可能であり、ガラス繊維からなる二酸化硫黄吸着フィルタと、二酸化硫黄吸着フィルタを通過した硫化水素ガスを検出するための硫化水素検出センサとを設ける。これにより、ガラス繊維からなる簡易な構造の二酸化硫黄吸着フィルタを用いることによって、ガス検知器の構造が複雑になるのを抑制しつつ、硫化水素検出センサによる検出精度を向上させることができる。
【００１０】
上記一の局面による火山ガス検知器において、好ましくは、ガラス繊維は、ホウケイ酸塩ガラス繊維である。このように構成すれば、ホウケイ酸塩ガラス繊維を用いて、容易に、二酸化硫黄を吸着するとともに、硫化水素を透過可能な、ガラス繊維からなる二酸化硫黄吸着フィルタを構成することができる。
【００１１】
上記一の局面による火山ガス検知器において、好ましくは、二酸化硫黄吸着フィルタとは異なり、硫化水素を吸着し、二酸化硫黄を透過可能な硫化水素吸着フィルタをさらに備え、二酸化硫黄検出センサは、硫化水素吸着フィルタを通過した二酸化硫黄ガスを検出するように構成されている。このように構成すれば、硫化水素検出センサの検出精度が低下することを抑制した状態で硫化水素を検出できることに加えて、二酸化硫黄ガスを精度よく検出することができるので、二酸化硫黄ガスおよび硫化水素を含む火山ガスを精度よく検出することができる。
【００１２】
この場合、好ましくは、硫化水素吸着フィルタは、硫化水素を吸着するための硫酸銀粉末を含む硫酸銀含有層と、二酸化硫黄を透過可能であり、硫酸銀含有層を支持するための支持部材とを備えている。このように構成すれば、硫酸銀粉末が偏った状態で配置される場合と異なり、硫化水素吸着フィルタに流入した硫化水素を層状の硫酸銀含有層に確実に流入させることができる。その結果、硫酸銀含有層により硫化水素が十分に吸着されるので、硫化水素が硫化水素吸着フィルタを通過してしまうのを確実に抑制して、二酸化硫黄ガスを精度よく検出することができる。
【００１３】
上記一の局面による火山ガス検知器において、好ましくは、二酸化硫黄吸着フィルタは、ガスの流入方向における上流側の略全面からガスが流入するように配置されている。このように構成すれば、ガスが二酸化硫黄吸着フィルタの一部分に集中して流入する場合とは異なり、広い領域にガスを流入させることができる。これにより、二酸化硫黄吸着フィルタが破過するまでの期間（フィルタ寿命）を長くすることができる。
【００１４】
なお、「破過」とは、二酸化硫黄吸着フィルタが二酸化硫黄を吸着可能な最大量（飽和量）吸着した結果、二酸化硫黄を吸着できなくなり、二酸化硫黄吸着フィルタを二酸化硫黄が通過することを示す概念である。
【考案の効果】
【００１５】
本考案によれば、火山ガス検知器の構造が複雑になるのを抑制しつつ、硫化水素検出センサによる検出精度を向上させることができる。
【図面の簡単な説明】
【００１６】
【図１】本考案の一実施形態による火山ガス検知器の分解斜視図である。
【図２】本考案の一実施形態による火山ガス検知器におけるＳＯ2吸着フィルタが取り付けられたＨ2Ｓセンサを示した模式図である。
【図３】本考案の一実施形態による火山ガス検知器の下部の垂直断面図である。
【図４】本発明の一実施形態による火山ガス検知器における硫化水素吸着フィルタを示した断面図である。
【図５】本考案の一実施形態による火山ガス検知器の変形例における下部の垂直断面図である。
【考案を実施するための形態】
【００１７】
以下、本考案を具体化した実施形態を図面に基づいて説明する。
【００１８】
（ガス検知器の全体構造）
図１〜図４を参照して、本考案の一実施形態による火山ガス検知器１の全体構成について説明する。
【００１９】
図１に示す本考案の一実施形態による火山ガス検知器（以下、ガス検知器という）１は、携帯可能な大きさ、および、重さを有する携帯型のガス検知器である。ガス検知器１は、筺体１ａに収容された電池によって駆動される。
【００２０】
なお、本明細書では、ガス検知器１の正面視における右方向をＸ１方向といい、左方向をＸ２方向という。ガス検知器１の正面視における背面方向をＹ１方向といい、前面方向をＹ２方向という。また、ガス検知器１の正面視における上方向をＺ１方向といい、下方向をＺ２方向という。
【００２１】
ガス検知器１は、表示部２と、発光部３と、操作部４とを備えている。ガス検知器１は、２つのセンサ（Ｈ2Ｓセンサ５１、ＳＯ2センサ５２）を含むセンサ部５を備えている。Ｈ2Ｓセンサ５１は、硫化水素ガスを検知する定電位電解式のセンサである。ＳＯ2センサ５２は、二酸化硫黄ガスを検知する定電位電解式のセンサである。これにより、異なる２種のガス（硫化水素（Ｈ2Ｓ）、二酸化硫黄（ＳＯ2））を検出することができる。ガス検知器１は、火山ガスの主成分である硫化水素および二酸化硫黄を検出可能であるため火山ガス検知器として用いることが可能である。
【００２２】
（筺体の構造）
筺体１ａは、たとえば、ＡＢＳ樹脂（アクリロニトリルブタジエンスチレン共重合合成樹脂）により形成されている。筺体１ａは、上部筺体１ｂと、下部筺体１ｃとを含んでいる。
【００２３】
上部筺体１ｂには、表示部２や、ガス検知器１を動作するための電池（図示せず）を収容するための電池ケース１ｄなどが配置されている。
【００２４】
下部筺体１ｃには、センサ収容部１１と、下部蓋１２とが設けられている。下部蓋１２は、下部蓋１２の内面と外面とを貫く２つの開口部１２１および１２２を含んでいる。下部筺体１ｃには、センサ部５と、二酸化硫黄吸着フィルタ６と、フッ素系フィルタ７と、硫化水素吸着フィルタ８と、ホルダ９とが収容されている。
【００２５】
センサ収容部１１は、２つのセンサ収容部１１１および１１２を含んでいる。センサ収容部１１の上端部には、センサ基板１５０（図３参照）が設けられている。
【００２６】
センサ収容部１１１および１１２は、下方に開口する円筒形状を有している。センサ収容部１１１には、Ｈ2Ｓセンサ５１（以下、センサ５１という）が収容されている。センサ収容部１１２には、ＳＯ2センサ５２（以下、センサ５２という）が収容されている。隣接するセンサ収容部は、隣接するセンサ収容部同士が隔離されるように構成されている。
【００２７】
センサ基板１５０（図３参照）は、センサ５１および５２の各々の端子５ａと電気的に接続されている。センサ基板１５０は、各センサが取得した情報を制御部（図示せず）に伝達するように構成されている。
【００２８】
（二酸化硫黄吸着フィルタの構造）
図２に示すように、二酸化硫黄吸着フィルタ（以下、ＳＯ2吸着フィルタという）６は、センサ５１（Ｈ2Ｓセンサ５１）のＨ2Ｓ検出部をＺ２方向から覆うように配置されている。ＳＯ2吸着フィルタ６は、センサ５１のＺ２側の部分に配置されている。ＳＯ2吸着フィルタ６は、Ｚ２方向から見て、略円形状に形成されている。
【００２９】
ＳＯ2吸着フィルタ６は、好ましくは、ガラス繊維からなる。より好ましくは、ＳＯ2吸着フィルタ６は、ホウケイ酸塩ガラス繊維からなる。ＳＯ2吸着フィルタ６は、Ｚ方向の厚みが約０．４ｍｍのシート状に形成されている。ＳＯ2吸着フィルタ６は、二酸化硫黄を吸着するように構成されている。ＳＯ2吸着フィルタ６は、硫化水素を透過可能ように構成されている。
【００３０】
センサ５１（Ｈ2Ｓセンサ５１）には、ＳＯ2吸着フィルタ６を通過したガスが流入する。ＳＯ2吸着フィルタ６を通過した硫化水素ガスは、センサ５１によって検出される。図３に示すように、ＳＯ2吸着フィルタ６のＺ２側の面全体が、センサ５１のＺ２側に露出するように構成されている。ＳＯ2吸着フィルタ６は、ガスの流入方向における上流側（Ｚ２側）のフィルタ６の保持に用いられる部分を除く略全面からガスが流入するように配置されている。
【００３１】
（フッ素系フィルタの構造）
フッ素系フィルタ７は、２つのフッ素系フィルタ７１および７２を含んでいる。フッ素系フィルタ７の素材は、ポリテトラフルオロエチレン（テフロン（登録商標））である。フッ素系フィルタ７は、気体（ガス）から水分や埃などの異物を分離（ろ過）するように構成されている。フッ素系フィルタ７１（７２）は、センサ５１（５２）と、センサ５１（５２）に対応する開口部１２１（１２２）との間の位置に配置されている。
【００３２】
（硫化水素吸着フィルタの構造）
硫化水素吸着フィルタ（以下、Ｈ2Ｓ吸着フィルタという）８は、ＳＯ2センサ５２のＳＯ2検出部（図示しない）をＺ２方向から覆うように配置されている。Ｈ2Ｓ吸着フィルタ８は、ＳＯ2センサ５２のＺ２側の部分に配置されている。Ｈ2Ｓ吸着フィルタ８は、Ｚ２方向から見て、略円形状に形成されている。Ｈ2Ｓ吸着フィルタ８は、ＳＯ2吸着フィルタ６とは異なり、硫化水素を吸着し、二酸化硫黄を透過可能なように構成されている。
【００３３】
図３に示すように、Ｈ2Ｓ吸着フィルタ８は、センサ５２（ＳＯ2センサ５２）のＳＯ2検出部（図示せず）をＺ２方向から覆うように配置されている。Ｈ2Ｓ吸着フィルタ８は、センサ５２のＺ２側の部分に配置されている。Ｈ2Ｓ吸着フィルタ８は、Ｚ２方向から見て、略円形状に形成されている。図４に示すように、Ｈ2Ｓ吸着フィルタ８は、硫酸銀含有層８１と、支持部材８２とを備えている。硫酸銀含有層８１と支持部材８２とは、交互に積層されている。硫酸銀含有層８１は、Ｚ方向の両側から支持部材８２によって挟み込まれている。硫酸銀含有層８１と支持部材８２とは、それぞれ複数層設けられている。たとえば、硫酸銀含有層８１は、２層設けられ、支持部材８２は、３層設けられている。Ｈ2Ｓ吸着フィルタ８に対するガスの透過時間を考慮し、硫酸銀含有層８１および支持部材８２のそれぞれの層の数を適宜変更することが可能である。センサ５２には、Ｈ2Ｓ吸着フィルタ８を通過したガスが流入する。
【００３４】
硫酸銀含有層８１は、硫酸銀粉末を含み、硫酸銀粉末によって硫化水素が吸着されるように構成されている。また、硫酸銀含有層８１は、二酸化硫黄を吸着せずに透過する。硫酸銀含有層８１は、Ｚ方向の厚みｔ１が約０．１ｍｍの層状に形成されている。硫酸銀含有層８１の１層あたりの重さは、適宜変更可能である。好ましくは、硫酸銀含有層８１は、１層あたり、０．０１２ｇ以上０．０２４ｇ以下の重さである。より好ましくは、硫酸銀含有層８１は、１層あたり、０．０１２ｇ以上０．０１５ｇ以下の重さである。硫酸銀粉末の粒径は、たとえば、１０μｍである。なお、硫酸銀粉末の粒径は、１０μｍ以外であってもよく、適宜変更可能である。硫酸銀粉末に含まれる複数の硫酸銀粒子は、略同じ粒径であってもよいし（狭い粒径分布を有していてもよいし）、異なる粒径であってもよい（広い粒径分布を有していてもよい）。硫酸銀粉末に含まれる複数の硫酸銀粒子は、様々な形状のものを採用することができる。また、硫酸銀粉末に含まれる複数の硫酸銀粒子の形状は、略均一であってもよいし、揃っていなくてもよい（形状にばらつきがあってもよい）。硫酸銀粉末の硫酸銀の純度は、たとえば、９９．５％である。硫酸銀粉末は、硫酸銀以外の不純物として、銅（０．００２％）、鉄（０．００２％）、その他の成分（０．４９６％）を含んでいる。
【００３５】
支持部材８２は、硫酸銀含有層８１を支持するために設けられている。支持部材８２は、第１支持層８２１と、第２支持層８２２と、接着部８２３とを含んでいる。第１支持層８２１と、第２支持層８２２とは、二酸化硫黄ガスを透過可能であり、接着部８２３は、二酸化硫黄ガスを透過しないように構成されている。支持部材８２は、全体として、概略的には層状に形成されている。支持部材８２は、第１支持層８２１と第２支持層８２２とを合わせた厚みｔ２が、０．２ｍｍになるように形成されている。
【００３６】
第１支持層８２１は、支持部材８２のガスの流入方向における下流側（Ｚ１側）の部分である。第１支持層８２１は、二酸化硫黄ガスを透過可能に構成されている。第１支持層８２１は、第２支持層８２２よりも表面粗さが大きくないＰＴＦＥ（ｐｏｌｙｔｅｔｒａｆｌｕｏｒｏｅｔｈｙｌｅｎｅ（ポリテトラフルオロエチレン））シートにより構成されている。ＰＴＦＥシートは、複数の細孔を有する多孔質シートである。ＰＴＦＥシートは、ガーレー通気性が１２ｓｅｃより小さいものを用いることができる。また、ＰＴＦＥシートは、初期透過圧力が１４ｐｓｉより大きいものを用いることができる。
【００３７】
第２支持層８２２は、支持部材８２のガスの流入方向における上流側（Ｚ２側）の表面に形成されている。第２支持層８２２は、二酸化硫黄ガスを透過可能に構成されている。第２支持層８２２の表面粗さは、第１支持層８２１の表面粗さよりも大きい。第２支持層８２２は、たとえば、不織布により構成されている。
【００３８】
接着部８２３は、Ｚ方向に隣り合う支持部材８２の第１支持層８２１と第２支持層８２２との間の位置に配置されている。接着部８２３は、Ｚ方向に隣り合う支持部材８２の第１支持層８２１および第２支持層８２２を接着（接続）している。接着部８２３は、支持部材８２の縁部に沿って設けられている。接着部８２３により囲まれた領域に、硫酸銀粉末を含む硫酸銀含有層８１が配置されている。接着部８２３は、たとえば、両面テープまたは接着剤である。接着部８２３は、硫酸銀含有層８１と同様、Ｚ方向に約０．１ｍｍの厚みｔ１を有している。
【００３９】
また、硫酸銀含有層８１のＺ２側の面８２３ａ全体が、第１支持層８２１および第２支持層８２２を介して、ガス検知器１の外部と通じている。ＳＯ2センサ５２のＺ２側に露出するように構成されている。硫酸銀含有層８１は、ガスの流入方向における上流側（Ｚ２側）のＨ2Ｓ吸着フィルタ８の保持に用いられる部分を除く略全面からガスが流入するように配置されている。
【００４０】
ＳＯ2センサ５２には、Ｈ2Ｓ吸着フィルタ８を通過したガスが流入する。Ｈ2Ｓ吸着フィルタ８のＺ２側の面全体が、ＳＯ2センサ５２のＺ２側に露出するように構成されている。Ｈ2Ｓ吸着フィルタ８を通過した二酸化硫黄ガスは、ＳＯ2センサ５２によって検出される。
【００４１】
（ホルダの構造）
図３に示すように、ホルダ９は、２つのフッ素系フィルタ７を保持するために設けられている。ホルダ９は、弾性を有する材料（たとえば、ゴム）により形成されている。ホルダ９は、２つのフッ素系フィルタ保持部９１および９２と、平坦部９３および９４とを含んでいる。
【００４２】
ホルダ９は、センサ収容部１１１および１１２に各々収容されたセンサ５１および５２のＺ２側の表面に密着するように構成されている。
【００４３】
２つのフッ素系フィルタ保持部９１および９２は、それぞれ、ガスの流入方向の下流方向（Ｚ１方向）に向けて窪む凹部により形成されている。フッ素系フィルタ保持部９１および９２と、フィルタ７１および７２とは、それぞれ、Ｚ方向において隙間がない状態で配置されている。フッ素系フィルタ保持部９１および９２は、内周面が互いに連続しないように形成されている。フッ素系フィルタ保持部９１のＹ方向の中央部に形成された孔部９１ａは、フッ素系フィルタ保持部９１に対応する位置で、Ｚ方向にホルダ９を貫通するように構成されている。フッ素系フィルタ保持部９２のＹ方向の中央部に形成された孔部９２ａは、フッ素系フィルタ保持部９２に対応する位置で、Ｚ方向にホルダ９を貫通するように構成されている。
【００４４】
なお、ＳＯ2吸着フィルタ６およびＨ2Ｓ吸着フィルタ８は、ホルダ９に対して、ガスの流入方向の下流側（Ｚ１側）に配置されている。ホルダ９は、ＳＯ2吸着フィルタ６およびＨ2Ｓ吸着フィルタ８と接触しないように構成されている。
【００４５】
平坦部９３は、平面視において、平坦部９３の一部分がフッ素系フィルタ保持部９１に重なる位置に形成されている。平坦部９３は、センサ５１のＺ２側の面に密着するように構成されている。
【００４６】
平坦部９４は、平面視において、平坦部９４の一部分がフッ素系フィルタ保持部９２に重なる位置に形成されている。平坦部９４は、センサ５２のＺ２側の面に密着するように構成されている。
【００４７】
（他の部品の構造）
下部蓋１２は、筺体１ａの下部に含まれている。下部蓋１２は、センサ部５およびホルダ９などを覆うように構成されている。下部蓋１２は、下部蓋１２の内面と外面とを貫く２つの開口部１２１および１２２を含んでいる。２つの開口部１２１および１２２により、２つのセンサ５１および５２が、それぞれ個別に外部に通じている。
【００４８】
図１に示すように、表示部２は、ガス検知器１のＹ２側の面に設けられている。表示部２には、ガスの検知結果などが表示可能に構成されている。
【００４９】
発光部３は、複数のＬＥＤ（発光ダイオード素子）を有している。センサ５１および５２のうちいずれかのガス濃度が警報閾値を超えると、予め設定されている所定のパターンに従って発光部３が点灯する。
【００５０】
操作部４は、ユーザにより、ガス検知器１に対する種々の入力操作が行われるように構成されている。
【００５１】
センサ５１および５２のうちいずれかのガス濃度が警報閾値を超えた場合に、筺体１ａ内部の音発生部（図示せず）から発せられたブザー音は、筺体１ａの前面の放音孔１１ａを介して、筺体１ａの外部に放出される。
【００５２】
（本実施形態の効果）
本実施形態では、以下のような効果を得ることができる。
【００５３】
本実施形態では、上記のように、二酸化硫黄を吸着するとともに、硫化水素を透過可能であり、ホウケイ酸塩ガラス繊維からなるＳＯ2吸着フィルタ６と、ＳＯ2吸着フィルタ６を通過した硫化水素ガスを検出するためのＨ2Ｓセンサ５１とを設ける。これにより、ガラス繊維からなる簡易な構造のＳＯ2吸着フィルタ６を用いることによって、ガス検知器１の構造が複雑になるのを抑制しつつ、Ｈ2Ｓセンサ５１による検出精度を向上させることができる。
【００５４】
また、本実施形態では、ガラス繊維は、ホウケイ酸塩ガラス繊維である。これにより、ホウケイ酸塩ガラス繊維を用いて、容易に、二酸化硫黄を吸着するとともに、硫化水素を透過可能な、ガラス繊維からなる二酸化硫黄吸着フィルタを構成することができる。
【００５５】
また、本実施形態では、ＳＯ2吸着フィルタ６とは異なり、硫化水素を吸着し、二酸化硫黄を透過可能なＨ2Ｓ吸着フィルタ８を設ける。Ｈ2Ｓ吸着フィルタ８を通過した二酸化硫黄ガスを検出するようにＳＯ2センサ５２を構成する。これにより、Ｈ2Ｓセンサ５１の検出精度が低下することを抑制した状態で硫化水素を検出できることに加えて、二酸化硫黄ガスを精度よく検出することができるので、二酸化硫黄ガスおよび硫化水素を含む火山ガスを精度よく検出することができる。
【００５６】
また、本実施形態では、硫化水素を吸着するための硫酸銀含有層６１と、二酸化硫黄を透過可能であり、硫酸銀含有層６１を支持するための支持部材６２とを備えるＨ2Ｓ吸着フィルタ８を設ける。これにより、硫酸銀粉末が偏った状態で配置される場合と異なり、Ｈ2Ｓ吸着フィルタ８に流入した硫化水素を層状の硫酸銀含有層６１に確実に流入させることができる。その結果、硫酸銀含有層６１により硫化水素が十分に吸着されるので、硫化水素がＨ2Ｓ吸着フィルタ８を通過してしまうのを確実に抑制して、二酸化硫黄ガスを精度よく検出することができる。
【００５７】
また、本実施形態では、ガスの流入方向における上流側の略全面からガスが流入するようにＳＯ2吸着フィルタ６を配置する。これにより、ガスがＳＯ2吸着フィルタ６の一部分に集中して流入する場合とは異なり、広い領域にガスを流入させることができる。これにより、ＳＯ2吸着フィルタ６が破過するまでの期間（フィルタ寿命）を長くすることができる。
【００５８】
（変形例）
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更（変形例）が含まれる。
【００５９】
たとえば、上記実施形態では、２種類のガスを検出可能なように二酸化硫黄検出センサ５２および硫化水素検出センサ５１を備えたガス検知器１に、本考案のフィルタを適用する例を示したが、本考案はこれに限られない。本考案では、少なくとも、二酸化硫黄検出センサおよび硫化水素検出センサを備えたガス検知器であれば、他の種類のガスを検出可能な（他の数のセンサを備えた）ガス検知器に、本考案のフィルタを適用してもよい。
【００６０】
また、上記実施形態では、本考案を携帯型のガス検知器１に適用する例を示したが、本考案はこれに限られない。本考案は、据置型のガス検知器に適用されてもよい。
【００６１】
また、上記実施形態では、ガスの流入方向における上流側（Ｚ２側）の略全面からガスが流入するようにＳＯ2吸着フィルタ６が配置されている例を示したが、本考案はこれに限られない。本考案では、Ｚ２側の一部分のみからガスが流入するようにＳＯ2吸着フィルタ６が配置されていてもよい。
【００６２】
また、上記実施形態では、ガスの流入方向における上流側（Ｚ２側）の略全面からガスが流入するようにＨ2Ｓ吸着フィルタ８が配置されている例を示したが、本考案はこれに限られない。本考案では、Ｚ２側の一部分のみからガスが流入するようにＨ2Ｓ吸着フィルタ８が配置されていてもよい。
【００６３】
また、上記実施形態では、ＳＯ2吸着フィルタ６の材料として、ホウケイ酸塩ガラス繊維を用いたが、本考案はこれに限られない。本考案では、ＳＯ2吸着フィルタ６の材料が、ホウケイ酸塩ガラス繊維以外のガラス繊維であってもよい。
【００６４】
また、上記実施形態では、フッ素系フィルタ７を設ける例を示したが、本考案はこれに限られない。本考案では、フッ素系フィルタを設けなくてもよい。
【００６５】
また、上記実施形態では、ＳＯ2吸着フィルタ６をＨ2Ｓセンサ５１のＺ２側の部分に接触するように配置したが、本考案はこれに限られない。本考案では、ＳＯ2吸着フィルタ６をＨ2Ｓセンサ５１と別の部分に配置してもよい。たとえば、図５に示すように、ＳＯ2吸着フィルタ６を空間３００を隔ててＨ2Ｓセンサ５１と離間して配置してもよい。また、ＳＯ2吸着フィルタ６を、ホルダ９に対して、ガスの流入方向の上流側（Ｚ２側）に配置してもよい。
【００６６】
また、上記実施形態では、Ｈ2Ｓ吸着フィルタ８をＳＯ2センサ５２のＺ２側の部分に接触するように配置したが、本考案はこれに限られない。本考案では、Ｈ2Ｓ吸着フィルタ８をＳＯ2センサ５２と別の部分に配置してもよい。たとえば、図５に示すように、Ｈ2Ｓ吸着フィルタ８を空間３００を隔ててＳＯ2センサ５２と離間して配置してもよい。また、Ｈ2Ｓ吸着フィルタ８を、ホルダ９に対して、ガスの流入方向の上流側（Ｚ２側）に配置してもよい。
【符号の説明】
【００６７】
１  ガス検知器
６  ＳＯ2吸着フィルタ（二酸化硫黄吸着フィルタ）
８  Ｈ2Ｓ吸着フィルタ（硫化水素吸着フィルタ）
５１  Ｈ2Ｓセンサ（硫化水素検出センサ）
５２  ＳＯ2センサ（二酸化硫黄検出センサ）
８１  硫酸銀含有層
８２  支持部材
【図１】
0003199404.tif 000003
【図２】
0003199404.tif 000004
【図３】
0003199404.tif 000005
【図４】
0003199404.tif 000006
【図５】
0003199404.tif 000007